(57)【要約】      （修正有）【課題】自由に必要とする形状にできる折り畳み式フラワースタンドを提供する。【解決手段】折り畳み式フラワースタンドは、第一フレームユニット、第二フレームユニット、および、底フレーム、からなる。第一フレームユニットは、対応設置された二個の第一フレームからなり、各第一フレームは、複数の第一連接部を有する。第二フレームユニットは、対応設置された二個の第二フレームからなり、第二フレームは第一フレームと隣接して設置され、各第二フレームは、複数の第二連接部を有する。底フレームは、実質的に、第一フレームユニットと第二フレームユニットの底部に設置され、且つ、複数の固定部を有して、対応する第一連接部と対応する第二連接部に組み合わされ、且つ、対応する第一連接部は、対応する第二連接部に組み合わされる。【選択図】図１
0003152821.tif 000002
【実用新案登録請求の範囲】
【請求項１】
折り畳み式フラワースタンドであって、
対応設置された二個の第一フレームからなり、前記の各第一フレームは、複数の第一連接部を有する第一フレームユニットと、
対応設置された二個の第二フレームからなり、前記の各第二フレームは、前記第一フレームと隣接して設置され、前記の各第二フレームは、複数の第二連接部を有する第二フレームユニットと、
実質的に、前記第一フレームユニットと前記第二フレームユニットの底部に設置され、且つ、複数の固定部を有して、対応する第一連接部と対応する第二連接部に組み合わされ、且つ、対応する前記第一連接部は、対応する前記第二連接部に組み合わされ、前記第一フレームユニットと前記第二フレームユニットと共に、互いに折り畳める連結をなす底フレームと、
からなることを特徴とする折り畳み式フラワースタンド。
【請求項２】
前記第一フレームは、中空構造体、ネット状構造体、実心構造体、および、それらの組み合わせから選択することを特徴とする請求項１に記載の折り畳み式フラワースタンド。  
【請求項３】
前記第二フレームは、中空構造体、ネット状構造体、実心構造体、および、それらの組み合わせから選択することを特徴とする請求項１に記載の折り畳み式フラワースタンド。
【請求項４】
前記第一フレームは空間上で対称関係をなすことを特徴とする請求項１に記載の折り畳み式フラワースタンド。
【請求項５】
前記第一フレームは形状上で対称関係をなすことを特徴とする請求項１に記載の折り畳み式フラワースタンド。
【請求項６】
前記第二フレームは空間上で対称関係をなすことを特徴とする請求項１に記載の折り畳み式フラワースタンド。  
【請求項７】
前記第二フレームは形状上で対称関係をなすことを特徴とする請求項１に記載の折り畳み式フラワースタンド。
【請求項８】
前記第一連接部と対応する前記固定部は相補する構造であることを特徴とする請求項１に記載の折り畳み式フラワースタンド。  
【請求項９】
前記第二連接部と対応する前記固定部は相補する構造であることを特徴とする請求項１に記載の折り畳み式フラワースタンド。
【請求項１０】
前記第二フレームの少なくとも一つは少なくとも一つのフック部を有し、且つ、前記フック部は前記底フレームの前記固定部に連結されることを特徴とする請求項１に記載の折り畳み式フラワースタンド。
【請求項１１】
前記フック部は少なくとも一部が弾性を有することを特徴とする請求項１０に記載の折り畳み式フラワースタンド。
【請求項１２】
前記フック部と対応する前記固定部は相補する構造であることを特徴とする請求項１０に記載の折り畳み式フラワースタンド。
【考案の詳細な説明】
【技術分野】
【０００１】
本考案は、折り畳み式フラワースタンドに関するものであって、特に、自由に折り畳んだり、組み立てたりできる折り畳み式フラワースタンドに関するものである。
【背景技術】
【０００２】
環境の美化や緑を増やすために、盆栽や各種植物装飾品は、生活に不可欠な必需品となっている。日常生活中で、採種される盆栽や使用される植物装飾品は、整っていて、また、移動させやすくするために、通常、各種フラワースタンドに搭載し、各種尺寸の盆栽や植物装飾品を一定範囲内に収める。
公知のフラワースタンドの尺寸、形状と規格は多くが制式化され、つまり、フラワースタンドの尺寸、形状と規格は一定のものであり、異なる要求によって異なる設計にすることができない。よって、フラワースタンドの尺寸が空間に符合しない問題が発生したり、フラワースタンドの使用が大きく制限を受けたりする。また、多くのフラワースタンドは一定時間使用後、太陽にさらされたり、何かの人的要素により、局部で損壊が生じるが、公知のフラワースタンドは一体成型構造であるので、局部が一旦破損すると、フラワースタンド全部を交換することになり、浪費である。
【考案の概要】
【考案が解決しようとする課題】
【０００３】
よって、本考案は、自由に折り畳んだり、組み立てたりすることができ、可動式の組み合わせ関係により、自由に、必要とする形状にできる折り畳み式フラワースタンドを提供することを目的とする。
本考案は、更に、全体の構造が美的で、各種異なる形態の空間に適用できる折り畳み式フラワースタンドを提供することを目的とする。
【課題を解決するための手段】
【０００４】
上述の目的を達成するため、本考案の折り畳み式フラワースタンドは、第一フレームユニット、第二フレームユニット、および、底フレーム、からなる。第一フレームユニットは、対応設置された二個の第一フレームからなり、各第一フレームは、複数の第一連接部を有する。第二フレームユニットは、対応設置された二個の第二フレームからなり、第二フレームは第一フレームと隣接して設置され、各第二フレームは、複数の第二連接部を有する。底フレームは、実質的に、第一フレームユニットと第二フレームユニットの底部に設置され、且つ、複数の固定部を有して、対応する第一連接部と対応する第二連接部に組み合わされ、且つ、対応する第一連接部は、対応する第二連接部に組み合わされ、底フレーム、第一フレームユニットと第二フレームユニットが、互いに折り畳める連結をなす。
本考案の折り畳み式フラワースタンドは、第一フレームユニットと第二フレームユニットが折り畳めるように底フレームに連結され、且つ、第一フレームユニット中の第一フレームと第二フレームユニット中の第二フレームが空間上でだけ相対位置を制限し、これらのフレームが相同の形状を有するか否かを制限するのではないので、本考案の折り畳み式フラワースタンドは折り畳める特性以外に、更に、可動式の組み立て方式、および、フレーム形状の選択により、各種異なる形態のフラワースタンドを形成することができ、各種異なる状況と環境に応用でき、且つ、各種尺寸の盆栽や装飾品を搭載できる。公知技術と比較すると、本考案のフラワースタンドは、自由に折り畳み、組み立てることができる特性を有し、且つ、応用範囲を広げ、また、選択的に任意の一素子を交換することができ、浪費を防ぐことができる。
【考案の効果】
【０００５】
本考案の折り畳み式フラワースタンドは折り畳める特性以外に、更に、可動式の組み立て方式、および、フレーム形状の選択により、各種異なる形態のフラワースタンドを形成することができ、各種異なる状況と環境に応用できる。また、一部の素子が損壊した場合、選択的に素子を交換することができ、浪費を防ぐことができる。
【図面の簡単な説明】
【０００６】
【図１】本考案の折り畳み式フラワースタンドの組み立て構造を示す図である。
【図２】本考案の折り畳み式フラワースタンドの分解構造を示す図である。
【図３】本考案の折り畳み式フラワースタンド１の折り畳み後の構造を示す図である。
【実施例】
【０００７】
図１は、本考案の折り畳み式フラワースタンドの組み立て構造を示す図で、図２は、本考案の折り畳み式フラワースタンドの分解構造を示す図である。図２により、本考案の折り畳み式フラワースタンドの各素子間の連結関係がはっきりと示され、この図が、本考案の折り畳み式フラワースタンドが分解できる構造であることを示すものではない。また、上述は、本考案の一実施例を示すものであり、表示される構造、形態は、本考案の範囲を限定するものではない。
図１と図２で示されるように、折り畳み式フラワースタンド１は、第一フレームユニット１２、第二フレームユニット１４、および、底フレーム１６からなる。
第一フレーム１２は、二個の第一フレーム１２１、１２２からなる。第一フレーム１２１と第一フレーム１２２は互いに対応して設置され、各第一フレーム１２１、或いは、１２２は、複数の第一連接部C1を有する。本実施例中、第一フレーム１２１、１２２は、ネット状の構造のものを例として説明し、上述の第一連接部C1は、第一フレーム１２１、１２２の末端端部に設置される。
第二フレームユニット１４は、二個の第二フレーム１４１、１４２からなり、第一フレーム１２１と第二フレーム１２２の空間関係に類似し、第二フレーム１４１と第二フレーム１４２は、互いに対応して設置される以外に、第二フレーム１４１、第二フレーム１４２と第一フレーム１２１、第一フレーム１２２は隣接して設置され、つまり、第二フレーム１４１は第一フレーム１２１に隣接して設置され、第二フレーム１４２は第一フレーム１２２に隣接して設置され、且つ、上述の第一フレーム１２１、１２２と第二フレーム１４１、１４２は囲繞し、封閉した構造体を形成する。このほか、各第二フレーム１４１、或いは、１４２は、複数の第二連接部C2を有する。本実施例中、第二フレーム１４１、１４２はネット状の構造のものを例として説明し、且つ、上述の第二連接部C2は、第二フレーム１４１、１４２の末端端部に設置される。
この他、第二フレームは、更に、フック部C3を有し、且つ、フック部C3の局部は弾性を有し、本実施例中のフック部C3は第二フレーム１４１、１４２の底部に設置されているが、異なる設計によって、フック部C3を第二フレーム１４１、１４２のその他の位置に設置することもできる。
底フレーム１６は実質的に、第一フレームユニット１２と第二フレームユニット１４の底部に設置され、つまり、底フレーム１６は、第一フレームユニット１２と第二フレームユニット１４により構成される封閉構造体の底部に設置され、且つ、底フレーム１６は、複数の固定部C4を有し、底フレーム１６の固定部C4は、それぞれ、第一フレーム１２２、１２４上の第一連接部C1、第二フレーム１４１、１４２上の第二連接部C2とフック部C3と互いに対応設置され、つまり、第一連接部C1、第二連接部C2、フック部C3は、対応して固定部C4に連結され、且つ、一部が互いに対応する第一連接部C1と第二連接部C2も連結し、且つ、上述のすべての連結関係は折り畳み式で、つまり、底フレーム１６、第一フレームユニット１２、第二フレームユニット１４は、連接部C1、および、C2、フック部C3と固定部C4の間の連結関係を解除後、折り畳みにより収納することができる。連結関係を解除する方法は、フック部C3と固定部C4間の連結関係を緩めて、連接部C1とC2と固定部C4の間の回転可能な連結関係により、折り畳み式フラワースタンド１全体を折り畳み、つまり、連接部C1、C2と固定部C4間は、完全に緩めなくても、折り畳み効果を達成することができる。もちろん、上述の様態は本考案の一実施例であり、本考案の範囲を限定するものではない。
図３は、本考案の折り畳み式フラワースタンド１の折り畳み後の構造を示す図である。図１と図２で示されるように、本考案の折り畳み式フラワースタンド１は、第一フレームユニット１２、第二フレームユニット１４、および、底フレーム１６からなるので、折り畳み式フラワースタンド１中の連接部C1、および、C2、フック部C3と固定部C4が連結関係を解除後、二個の第一フレーム１２１、１２２、二個の第二フレーム１４１、１４２と底フレーム１６を、一つのフレームユニットの尺寸大小に折り畳むことができ、図３からわかるように、組み立て完成後の構造と比較すると、折り畳み後の折り畳み式フラワースタンド１は、最終的に（点線矢印で示される）、極めて小さい体積にできる。
注意すべきことは、上述の第一フレーム１２１、１２２と第二フレーム１４１、１４２がネット状の構造体である以外に、中空構造体、実心構造体、あるいは、上述の構造体の組み合わせでもよい。また、第一フレーム１２１と第一フレーム１２２は、空間上で対称関係をなす以外に、形状も、対称関係をなす。同様に、第二フレーム１４１と１４２も、空間上で対称関係をなす以外に、形状も、対称関係をなす。つまり、第一フレーム１２１、１２２、第二フレーム１４１、１４２の対称関係は、尺寸、形状の対称に制限されず、空間上のみで対称関係であってもよい。
また、上述の第一連接部C1、第二連接部C2とフック部C3は、構造上、固定部C4と互いに相補する関係であり、第一連接部C1、第二連接部C2とフック部C3は、固定部C4と安定して連結することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
折り畳み式フラワースタンド１
第一フレームユニット１２
第一フレーム１２１、１２２
第二フレームユニット１４
第二フレーム１４１、１４２
底フレーム１６
第一連接部C1
第二連接部C2
フック部C3
固定部C4
【図１】
0003152821.tif 000003
【図２】
0003152821.tif 000004
【図３】
0003152821.tif 000005